(57)【要約】      （修正有）【課題】比較的しっかりと把持しなければならない場合であっても運転停止ボタンを操作しやすい把持型調理器を提供する。【解決手段】把持型調理器１００は、動力源および運転停止指示操作部１１３を備える。動力源は、例えば、電動機等の回転型の動力源である。運転停止指示操作部は、操作者の操作によって動力源の運転および停止を指示する。そして、この運転停止指示操作部は、想定使用姿勢において操作者と対向する側の側面に配設される。【選択図】図４
2017046880.tif 000002
【特許請求の範囲】
【請求項１】
動力源と、
操作者の操作によって前記動力源の運転および停止を指示する運転停止指示操作部と
を備え、
前記運転停止指示操作部は、想定使用姿勢において前記操作者と対向する側（以下「操作者対向側」という。）の側面に配設される
把持型調理器。
【請求項２】
前記動力源を収容する筒状の筐体をさらに備え、
前記筐体は、前記想定使用姿勢において上端が前記操作者対向側の反対側に向かうように湾曲または屈曲する曲げ部分を有し、
前記運転停止指示操作部は、前記筐体の前記側面の上側部分に配設されている
請求項１に記載の把持型調理器。
【請求項３】
前記運転停止指示操作部は、押込み式のボタンであって、未使用状態において外表面が前記筐体の外周面と一致するか前記筐体の外周面よりも奥まっている
請求項１または２に記載の把持型調理器。
【請求項４】
前記運転停止指示操作部を指示操作可能な状態とするロック解除指示操作部をさらに備え、
前記ロック解除指示操作部は、前記運転停止指示操作部と反対側の側面に配設される
請求項１から３のいずれかに記載の把持型調理器。
【請求項５】
前記ロック解除指示操作部は、押込み式のボタンであって、未使用状態の想定使用姿勢の側面視において、前記筐体の上端部の前記操作者対向側の反対側の最外点と、前記筐体の下端部の前記操作者対向側の反対側の最外点とを結ぶ仮想直線の内側に収まるように配設されている
請求項４に記載の把持型調理器。
【請求項６】
前記ロック解除指示操作部の押込み方向は、前記想定使用姿勢において水平方向と略平行な方向であり
前記運転停止指示操作部の押込み方向は、前記想定使用姿勢において前記操作者対向側から前記操作者対向側の反対側に向かうに従って下方に傾斜する方向である
請求項４または５に記載の把持型調理器。
【発明の詳細な説明】
【技術分野】
【０００１】
本発明は、例えば、ハンドブレンダー等の把持型調理器に関する。
【背景技術】
【０００２】
近年、種々のハンドブレンダーが提案されているが、いずれのハンドブレンダーも基本的には運転停止ボタンを人差し指で操作する仕様となっている（例えば、特開２００７−１４５２２号公報等参照）。
【先行技術文献】
【特許文献】
【０００３】
【特許文献１】特開２００７−１４５２２号公報
【発明の概要】
【発明が解決しようとする課題】
【０００４】
しかし、ハンドブレンダーでは、通常、アタッチメントよりも本体の方が重い。このため、ハンドブレンダーの重心は比較的高い位置にある。したがって、女性や子供などの比較的力が弱い者がハンドブレンダーを操作する際、その者達は、両手で把持する等、比較的しっかりとハンドブレンダーを把持する傾向がある。しかし、このように比較的しっかりとハンドブレンダーを把持すると、人差し指が動きにくくなってしまい、運転停止ボタンを操作しにくくなる場合がある。
【０００５】
本発明の課題は、比較的しっかりと把持しなければならない場合であっても運転停止ボタンを操作しやすい把持型調理器を提供することにある。
【課題を解決するための手段】
【０００６】
本発明の第１局面に係る把持型調理器は、動力源および運転停止指示操作部を備える。動力源は、例えば、電動機（モータ）等の回転型の動力源である。運転停止指示操作部は、操作者の操作によって動力源の運転および停止を指示する。そして、この運転停止指示操作部は、想定使用姿勢において操作者と対向する側（以下「操作者対向側」という。）の側面に配設される。なお、ここで「想定使用姿勢」とは、設計上想定される使用時の姿勢である。また、ここにいう「側面」とは、天面および底面以外の面を意味し、左側面や右側面のみならず前面や背面を含み得る概念である。
【０００７】
この把持型調理器では、想定使用姿勢において操作者と対向する側の側面に運転停止指示操作部が配設される。このため、この把持型調理器では、操作者は、最も力が入りやすく操作しやすい親指で運転停止指示操作部を操作することができる。したがって、この把持型調理器は、操作者が比較的しっかりと把持しなければならない場合であっても運転停止指示操作部（運転停止ボタン）を操作しやすい。
【０００８】
本発明の第２局面に係る把持型調理器は、第１局面に係る把持型調理器であって、筐体をさらに備える。筐体は、筒形状を呈しており、動力源を収容している。筐体は、曲げ部分を有する。曲げ部分は、想定使用姿勢において上端が操作者対向側の反対側に向かうように（すなわち、上端が操作者から遠ざかるように）湾曲または屈曲している。そして、運転停止指示操作部は、筐体の側面の上側部分に配設されている。
【０００９】
この把持型調理器では、筐体が曲げ部分を有し、その曲げ部分は、想定使用姿勢において上端が操作者対向側の反対側に向かうように湾曲または屈曲している。このため、この把持型調理器は、把持時の手首にかかる負担を低減することができると共に、作業台等に載置された際に作業台等から転がり落ちることがない。
【００１０】
本発明の第３局面に係る把持型調理器は、第１局面または第２局面に係る把持型調理器であって、運転停止指示操作部は、押込み式のボタンであって、未使用状態において外表面が筐体の外周面と一致するか、筐体の外周面よりも奥まっている。
【００１１】
この把持型調理器では、運転停止指示操作部は、未使用状態において外表面が筐体の外周面と一致するか、筐体の外周面よりも奥まっている。このため、この把持型調理器が作業台等に置かれる際に誤って運転停止指示操作部が押圧されることを防止することができる。
【００１２】
本発明の第４局面に係る把持型調理器は、第１局面から第３局面のいずれかに係る把持型調理器であって、ロック解除指示操作部をさらに備える。ロック解除指示操作部は、運転停止指示操作部を指示操作可能な状態とするものである。そして、このロック解除指示操作部は、運転停止指示操作部と反対側の側面に配設されている。
【００１３】
この把持型調理器では、運転停止指示操作部と反対側の側面にロック解除指示操作部が配設されている。このため、この把持型調理器では、人差し指や中指でロック解除指示操作部を操作することができ、運転停止指示操作部の誤操作を防止することができる。
【００１４】
本発明の第５局面に係る把持型調理器は、第４局面に係る把持型調理器であって、ロック解除指示操作部は、押込み式のボタンであって、未使用状態の想定使用姿勢の側面視において、筐体の上端部の操作者対向側の反対側の最外点と、筐体の下端部の操作者対向側の反対側の最外点とを結ぶ仮想直線の内側に収まるように配設されている。なお、かかる場合、ロック解除指示操作部は、筐体の外周面から突出していてもよい。
【００１５】
この把持型調理器では、ロック解除指示操作部は、未使用状態の想定使用姿勢の側面視において、筐体の上端部の操作者対向側の反対側の最外点と、筐体の下端部の操作者対向側の反対側の最外点とを結ぶ仮想直線の内側に収まるように配設されている。このため、この把持型調理器が作業台等に置かれる際に誤ってロック解除指示操作部が押圧されることを防止することができる。
【００１６】
本発明の第６局面に係る把持型調理器は、第４局面または第５局面に係る把持型調理器であって、ロック解除指示操作部の押込み方向は、想定使用姿勢において水平方向と略平行な方向である。また、運転停止指示操作部の押込み方向は、想定使用姿勢において操作者対向側から操作者対向側の反対側に向かうに従って下方に傾斜する方向である。なお、このとき、運転停止指示操作部の押込み方向は想定使用姿勢において水平面と交差する。
【００１７】
この把持型調理器では、ロック解除指示操作部の押込み方向が、想定使用姿勢において水平方向と略平行な方向であり、運転停止指示操作部の押込み方向が、想定使用姿勢において操作者から遠ざかる方向に向かうに従って下方に傾斜する方向である。このため、この把持型調理器では、操作者は、親指および人差し指や中指を自然に動かすだけで運転停止指示操作部およびロック解除指示操作部を押圧することができる。したがって、この把持型調理器は、操作者の指の操作負担を低減することができる。
【図面の簡単な説明】
【００１８】
【図１】本発明の実施の形態に係るハンドブレンダーの斜視図である。
【図２】本発明の実施の形態に係るハンドブレンダーの正面図である。
【図３】本発明の実施の形態に係るハンドブレンダーの背面図である。
【図４】本発明の実施の形態に係るハンドブレンダーの左側面図である。
【図５】本発明の実施の形態に係るハンドブレンダーの上面図である。
【図６】本発明の実施の形態に係るハンドブレンダーの底面図である。
【図７】本発明の実施の形態に係るハンドブレンダーの天面に垂直な方向から見たときの図である。
【図８】図２のＡ−Ａ断面図である。
【図９】本発明の実施の形態の変形例（Ｅ）に係るハンドブレンダーの左側面図である。
【発明を実施するための形態】
【００１９】
本発明の実施の形態に係るハンドブレンダー１００は、コードレス型のハンドブレンダーであって、図１に示されるように、主に、本体１１０およびアタッチメント１２０から構成されている。以下、本体１１０およびアタッチメント１２０それぞれについて詳述する。
【００２０】
＜本体の構成＞
本体１１０は、図１〜図８に示されるように、主に、筐体部１１１、取付け部１１２、運転停止ボタン１１３、ロック解除ボタン１１４、モータＭＴ、メインシャフトＭＳ、連結部ＣＴ、充電池ＢＴおよび制御基板ＣＣから構成される。以下、本体１１０の各構成要素について詳述する。なお、以下の本体１１０の各構成要素の説明に際して、「想定使用姿勢」および「操作者対向側」との用語が使用されるが、前者の用語は、設計上想定される使用時の姿勢であって、図２、図３および図４に示されるように本体１１０が上側に位置し、アタッチメント１２０が下側に位置する姿勢を意味し、後者の用語は、想定使用姿勢において操作者と対向する側であって、図４の右側すなわち運転停止ボタン配設側を意味する。
【００２１】
（１）筐体部
筐体部１１１は、図４に示されるように、想定使用姿勢において上端が操作者対向側の反対側に向かって（すなわち、上端が操作者から遠ざかるように）湾曲する筒形の樹脂成形体であって、図８に示されるようにモータＭＴ、メインシャフトＭＳ、充電池ＢＴおよび制御基板ＣＣ等を収容している。なお、この筐体部１１１をより詳細に説明すると以下の通りである。
【００２２】
先ず、この筐体部１１１は、図５に示されるように、取付け部側から上端面側に向かうに従って正円から略ルーロの三角形（正三角形の画辺を膨らませると共に角部を面取りしたような形をした定幅図形（図７の上端面ＳＦｕを参照））に徐変する形状を呈している。
【００２３】
次に、この筐体部１１１は、操作者の手首に負担をかけず、且つ、操作者が運転停止ボタン１１３を操作しやすくするために、次の通りに設計されている。先ず、運転停止ボタン１１３の配設領域において筐体部１１１の外周面と滑らかに連続する仮想曲面ＳＦｐを設定する（図４の破線箇所参照）。次に、運転停止ボタン１１３の押込み方向ＤＩｏと平行であって、運転停止ボタン１１３の中心点または重心点を通る仮想直線Ｌｐを設定する（図４参照）。次いで、この仮想直線Ｌｐが仮想曲面ＳＦｐと交差する交差点Ｐｉを設定する（図４参照）。続いて、側面視において、交差点Ｐｉにおける接線Ｌｏと、メインシャフトＭＳの回転軸の延長線Ｌｃとが交差する角度（以下「把持角度」という）をθとする（図４参照）。そして、θが２５°以上３０°以下の範囲内に収まるように筐体部１１１が設計されている。
【００２４】
（２）取付け部
取付け部１１２は、種々のアタッチメント１２０（後述）を取り付けるために設けられている部位であって、図８に示されるように、筐体部１１１の下端から下方に向かって延びている。なお、この取付け部１１２は、略切頭円錐形状を呈しており、下方に向かうに従って縮径している。そして、この取付け部１１２には、メインシャフトＭＳおよび連結部ＣＴが収容されている。
【００２５】
（３）運転停止ボタン
運転停止ボタン１１３は、図２に示されるように比較的大きな長方形形状のボタンであって、図４に示されるように想定使用姿勢において筐体部１１１の操作者対向側の側面の上端部分に配設されている。なお、この運転停止ボタン１１３は、図４に示されるように、未使用状態の想定使用姿勢の側面視において、その外表面が筐体部１１１の外周面よりも奥まっている。また、この運転停止ボタン１１３の押込み方向ＤＩｏは、想定使用姿勢において操作者対向側からその反対側に向かうに従って下方に傾斜する方向、すなわち操作者から遠ざかるに従って下方に傾斜する方向とされている。そして、この運転停止ボタン１１３は、付勢部材（図示せず）によって押込み方向ＤＩｏと反対方向に向かって付勢されており、操作者が付勢部材の付勢力に逆らって運転停止ボタン１１３を押し下げると接点が閉じる構成となっている。一方、操作者が運転停止ボタン１１３から指を離すと、付勢部材の付勢力によって運転停止ボタン１１３が押し上げられて接点が開放される。また、この運転停止ボタン１１３は、制御基板ＣＣに接続されている。そして、制御基板ＣＣは、この運転停止ボタン１１３の接点の開閉を検知するように構成されている。
【００２６】
（４）ロック解除ボタン
ロック解除ボタン１１４は、図３に示されるように比較的大きな長方形状のボタンであって、図４に示されるように想定使用姿勢において筐体部１１１の操作者対向側の反対側の側面の上端部分に配設されている。このロック解除ボタン１１４は、図４に示されるように、運転停止ボタン１１３よりも僅かに下側に位置している。なお、このロック解除ボタン１１４は、図４に示されるように、未使用状態の想定使用姿勢の側面視において、筐体部１１１の外周面から突出するが、筐体部１１１の上端部の操作者対向側の反対側の最外点Ｐａと、筐体部１１１の下端部の操作者対向側の反対側の最外点Ｐｂとを結ぶ仮想直線Ｌｉを超えることはない。また、このロック解除ボタン１１４の押込み方向ＤＩｕは、図４に示される通り、想定使用姿勢において水平方向と平行な方向とされている。そして、このロック解除ボタン１１４は、付勢部材（図示せず）によって押込み方向ＤＩｕと反対方向に向かって付勢されており、操作者が付勢部材の付勢力に逆らってロック解除ボタン１１４を引くと接点が閉じる構成となっている。一方、操作者がロック解除ボタン１１４から指を離すと、付勢部材の付勢力によってロック解除ボタン１１４が押し戻されて接点が開放される。また、このロック解除ボタン１１４は、制御基板ＣＣに接続されている。そして、制御基板ＣＣは、このロック解除ボタン１１４の接点の開閉を検知するように構成されている。
【００２７】
（５）モータ
モータＭＴは、通常のインナーローター型の直流モータであって、図８に示されるように筐体部１１１内の最下部に配設されている。そして、このモータＭＴは、制御基板ＣＣに接続されている。そして、制御基板ＣＣは、運転停止ボタン１１３およびロック解除ボタン１１４のオン／オフに基づいてモータＭＴへの出力制御を行う。
【００２８】
（６）メインシャフト
メインシャフトＭＳは、図８に示されるように、モータＭＴのローターの回転軸に沿って下方に向かって延びている。また、このメインシャフトＭＳの下端には、アタッチメント１２０のシャフトＳＴを連結するための連結部ＣＴが取り付けられている。
【００２９】
（７）連結部
連結部ＣＴは、上述の通り、アタッチメント１２０のシャフトＳＴを連結するためのものであって、メインシャフトＭＳの下端に取り付けられている。
【００３０】
（８）充電池
充電池ＢＴは、充電可能な電池であって、図８に示されるようにモータＭＴの直上に配設されている。この充電池ＢＴは、制御基板ＣＣの指示に従って電気エネルギーをモータＭＴに供給する。
【００３１】
（９）制御基板
制御基板ＣＣは、例えば、マイクロコンピュータを含む制御回路等であって、充電池ＢＴの上方、すなわち、運転停止ボタン１１３およびロック解除ボタン１１４の近傍に配設されている。そして、この制御基板ＣＣは、運転停止ボタン１１３、ロック解除ボタン１１４およびモータＭＴに接続されており、上述の通り、運転停止ボタン１１３およびロック解除ボタン１１４のオン／オフに基づいてモータＭＴへの出力制御を行う。具体的には、ロック解除ボタン１１４がオフ状態であるとき、運転停止ボタン１１３がオフからオンとされても、制御基板ＣＣは、モータＭＴに通電を行わず、モータＭＴを停止させたままとする。一方、ロック解除ボタン１１４がオン状態とされている場合に運転停止ボタン１１３がオフからオンとされると、制御基板ＣＣは、モータＭＴが規定の回転数で回転運動をするようにモータＭＴに通電を行う。
【００３２】
＜アタッチメントの構成＞
アタッチメント１２０は、食品を調理するために使用される付属部品であって、図６および図８に示されるように、主に、シャフトＳＴ、切断刃ＢＬ、刃カバー１２１、被取付け部１２２およびシャフトカバー１２３から構成されている。なお、本実施の形態に係るハンドブレンダーにおいて、刃カバー１２１、被取付け部１２２およびシャフトカバー１２３は金属製の一体品である。切断刃ＢＬは、図６および図８に示されるようにシャフトＳＴの下端部に取り付けられている。刃カバー１２１は、切断対象の調理材が飛び散らないようにする役目を担う部位であって、切断刃ＢＬの周囲を覆っている。シャフトカバー１２３は、シャフトＳＴを覆っている。そして、このアタッチメント１２０は、被取付け部１２２を介して本体１１０の取付け部１１２に着脱自在に取り付けられる。アタッチメント１２０が被取付け部１２２を介して本体１１０の取付け部１１２に取り付けられると同時に、アタッチメント１２０のシャフトＳＴが本体１１０の連結部ＣＴに着脱自在に連結される。なお、アタッチメント１２０としては、図１〜８に示されるブレンダー以外に、泡立てビーター、生地こねニーダー、チョッパーカッター、おろしカッター等がある。
【００３３】
アタッチメント１２０としてブレンダー、泡立てビーター、生地こねニ―ダーが使用される場合、アタッチメント１２０は、被取付け部１２２を介して本体１１０の取付け部１１２に取り付けられると同時にアタッチメント１２０のシャフトＳＴが本体１１０の連結部ＣＴを介してメインシャフトＭＳに連結される。
【００３４】
また、アタッチメント１２０としてチョッパーカッター又はおろしカッターが使用される場合、専用カップが使用される。かかる場合、チョッパーカッター又はおろしカッターは、本体１１０の連結部ＣＴを介してメインシャフトＭＳに取り付けられると共に、専用カップの底面中央から上方に向かって延びるピンに回転自在に支持される。一方、専用カップは、被取付け部１２２を介して取付け部１１２に取り付けられる。
【００３５】
＜本発明の実施の形態に係るハンドブレンダーの操作方法＞
操作者は、先ず、親指が運転停止ボタン１１３に位置すると共に人差し指がロック解除ボタン１１４に位置するようにハンドブレンダー１００の筐体部１１１の上側部分を握る。なお、ハンドブレンダーがこのように握られると、必然的に運転停止ボタン１１３が操作者に対向する位置関係となる。操作者は、次に、人差し指でロック解除ボタン１１４を引いて、運転停止ボタンのロックを解除する。そして、操作者は、ロック解除ボタン１１４を人差し指で引いた状態のままで、親指で運転停止ボタン１１３を押す。すると、モータＭＴのローターが回転し、アタッチメント１２０のシャフトＳＴが回転駆動される。
【００３６】
＜本発明の実施の形態に係るハンドブレンダーの特徴＞
（１）
本発明の実施の形態に係るハンドブレンダー１００では、想定使用姿勢において操作者対向側の側面に運転停止ボタン１１３が配設されている。このため、このハンドブレンダー１００では、操作者は、最も力が入りやすく操作しやすい親指で運転停止ボタン１１３を操作することができる。したがって、このハンドブレンダー１００は、操作者が比較的しっかりと把持しなければならない場合であっても運転停止ボタン１１３を操作しやすい。
【００３７】
（２）
本発明の実施の形態に係るハンドブレンダー１００では、想定使用姿勢において上端が操作者対向側の反対側に向かうように筐体部１１１が湾曲している。そして、さらに、この筐体部１１１は、把持角度θが２５°以上３０°以下の範囲内に収まるように設計されている。このため、このハンドブレンダー１００では、操作者の手首に負担をかけず、且つ、操作者が運転停止ボタン１１３を操作しやすくすることができる。また、ハンドブレンダー１００を作業台等に載置した際に、ハンドブレンダー１００が作業台等から転がり落ちることを防止することができると共に、運転停止ボタン１１３およびロック解除ボタン１１４を作業台等に接触しない状態とすることができ、延いては運転停止ボタン１１３およびロック解除ボタン１１４の誤操作を防止することができる。
【００３８】
（３）
本発明の実施の形態に係るハンドブレンダー１００では、筐体部１１１は、取付け部側から上端面側に向かうに従って正円から略ルーロの三角形に徐変する形状を呈している。このため、ハンドブレンダー１００は、作業台等に載置された場合に載置状態が安定する
【００３９】
（４）
本発明の実施の形態に係るハンドブレンダー１００では、運転停止ボタン１１３は、未使用状態において外表面が筐体部１１１の外周面よりも奥まっている。このため、このハンドブレンダー１００が作業台等に置かれる際に誤ってハンドブレンダー１００が押圧されることを防止することができる。
【００４０】
（５）
本発明の実施の形態に係るハンドブレンダー１００では、運転停止ボタン１１３が、上下方向に長い長方形形状とされている。このため、このハンドブレンダー１００では、親指で運転停止ボタン１１３を押しやすい。
【００４１】
（６）
本発明の実施の形態に係るハンドブレンダー１００では、運転停止ボタン１１３と反対側の側面にロック解除ボタン１１４が配設されている。このため、このハンドブレンダー１００では、人差し指や中指でロック解除ボタン１１４を操作することができ、運転停止ボタン１１３の誤操作を防止することができる。
【００４２】
（７）
本発明の実施の形態に係るハンドブレンダー１００では、ロック解除ボタン１１４は、未使用状態の想定使用姿勢の側面視において、筐体部１１１の上端部の操作者対向側の反対側の最外点Ｐａと、筐体部１１１の下端部の操作者対向側の反対側の最外点Ｐｂとを結ぶ仮想直線Ｌｉの内側に収まるように配設されている。このため、このハンドブレンダー１００が作業台等に置かれる際に誤ってロック解除ボタン１１４が押圧されることを防止することができる。
【００４３】
（８）
本発明の実施の形態に係るハンドブレンダー１００では、ロック解除ボタン１１４の押込み方向ＤＩｕが想定使用姿勢において水平方向と略平行な方向であり、運転停止ボタン１１３の押込み方向ＤＩｏが想定使用姿勢において操作者対向側からその反対側に向かうに従って下方に傾斜する方向である。このため、このハンドブレンダー１００では、操作者は、親指および人差し指や中指を自然に動かすだけで運転停止ボタン１１３およびロック解除ボタン１１４を押圧することができる。したがって、このハンドブレンダー１００は、操作者の指の操作負担を低減することができる。
【００４４】
（９）
本発明の実施の形態に係るハンドブレンダー１００では、高重量の部品ほど筐体部１１１の下部に収容されている。このため、ハンドブレンダー１００の重心位置を低くすることができる。したがって、このハンドブレンダー１００は、操作者の手首に対する負荷を低減することができる。
【００４５】
＜変形例＞
（Ａ）
先の実施の形態に係るハンドブレンダー１００では、筐体部１１１は、想定使用姿勢において上端が操作者対向側の反対側に向かって湾曲する筒形状を呈していたが、筐体部１１１は、想定使用姿勢において上端が操作者対向側の反対側に向かって屈曲する筒形状を呈していてもよい。その際、運転停止ボタン１１３は、屈曲の上側の直筒部に配設されることになる。かかる場合、把持角度θは、側面視において屈曲部の上側の直筒部の筒軸とメインシャフトＭＳの回転軸の延長線Ｌｃとが交差する角度となる。
【００４６】
また、直筒部、湾曲筒部および屈曲筒部を適宜組み合わせて筐体部１１１を構成してもかまわない。ただし、想定使用姿勢において上端が操作者対向側の反対側に向かうようにそれらの部位を組み合わせる必要がある。そのような組合せの例としては、例えば、１）下部に「想定使用姿勢において上下方向に延びる直筒部」を配し、上部に湾曲筒部を配する例（かかる場合、直筒部にモータＭＴを収容するのが好ましい。）」、２）下部に湾曲筒部を配し、上部に「想定使用姿勢において操作者対向側の反対側から操作者対向側に向かうに従って下方に傾斜する直筒部」を配する例、３）下部に「屈曲筒部」を配し、上部に「想定使用姿勢において操作者対向側の反対側から操作者対向側に向かうに従って下方に傾斜する直筒部」を配する例、４）下部に「想定使用姿勢において上下方向に延びる直筒部」を配し、中間部に「湾曲筒部」を配し、上部に「想定使用姿勢において操作者対向側の反対側から操作者対向側に向かうに従って下方に傾斜する直筒部」を配する例、５）下部に「想定使用姿勢において上下方向に延びる直筒部」を配し、中間部に「屈曲筒部」を配し、上部に「湾曲筒部」を配する例等が挙げられる。
【００４７】
（Ｂ）
先の実施の形態に係るハンドブレンダー１００では、運転停止ボタン１１３およびロック解除ボタン１１４が押込み式のボタンであったが、これらのボタン１１３，１１４は、ソフトウェアボタンや、タッチ式のボタンであってもよい。
【００４８】
（Ｃ）
先の実施の形態に係るハンドブレンダー１００では、運転停止ボタン１１３は、未使用状態の想定使用姿勢の側面視において、その外表面が筐体部１１１の外周面よりも奥まっていたが、その外表面が筐体部１１１の外周面と一致していてもよい。
【００４９】
（Ｄ）
先の実施の形態に係るハンドブレンダー１００にはロック解除ボタン１１４が配設されたが、ロック解除ボタンは省かれてもよい。
【００５０】
（Ｅ）
先の実施の形態では、湾曲形状の筐体部１１１を有するハンドブレンダー１００が採用されたが、図９に示されるような直筒形状の筐体部１１１Ａを有するハンドブレンダー１００Ａが採用されてもよい。かかる場合、本体１１０Ａにおいて、運転停止ボタン１１３は、図９のロック解除ボタン１１４のように筐体部１１１Ａの筒軸と平行になるように配設されてもかまわないが、図９に示されるように操作者対向側の反対側から操作者対向側に向かうに従って下方に傾斜するように配設されてもよい。
【符号の説明】
【００５１】
１００，１００Ａ      ハンドブレンダー（把持型調理器）
１１１，１１１Ａ      筐体部（筐体，曲げ部分）
１１３      運転停止ボタン（運転停止指示操作部）
１１４      ロック解除ボタン（ロック解除指示操作部）
ＤＩｏ      運転停止ボタンの押込み方向（運転停止指示操作部の押込み方向）
ＤＩｕ      ロック解除ボタンの押込み方向（ロック解除指示操作部の押込み方向）
Ｌｉ        仮想直線
ＭＴ        モータ（動力源）
Ｐａ        筐体部の上端部の操作者対向側の反対側の最外点（筐体の上端部の操作者対向側の反対側の最外点）
Ｐｂ        筐体部の下端部の操作者対向側の反対側の最外点（筐体の下端部の操作者対向側の反対側の最外点）
【図１】
2017046880.tif 000003
【図２】
2017046880.tif 000004
【図３】
2017046880.tif 000005
【図４】
2017046880.tif 000006
【図５】
2017046880.tif 000007
【図６】
2017046880.tif 000008
【図７】
2017046880.tif 000009
【図８】
2017046880.tif 000010
【図９】
2017046880.tif 000011